(57)【要約】【課題】制御装置の端子数を減らすことのできる放電灯点灯装置を提供する。【解決手段】第１チャンネルの第１リモート信号または第２チャンネルの第２リモート信号を受光する受光部３０と、この受光部３０の受光信号に基づいて放電灯１１,１２の点灯や調光を制御する制御装置３１と、第１,第２チャンネルのいずれかに切り換えるチャンネル切換スイッチ３３と、所定の状態を報知するブザー３２とを備えた放電灯点灯装置１０であって、制御装置３１は、チャンネル切換スイッチの切り換えを読み取る入力端子と、ブザー３２を鳴らすブザー信号を出力する出力端子とを１つの端子Ｕ２で共用した。【選択図】図１
2008146993.tif 000002
【特許請求の範囲】
【請求項１】
第１チャンネルの第１リモート信号または第２チャンネルの第２リモート信号を受光する受光部と、この受光部の受光信号に基づいて放電灯の点灯や調光を制御する制御装置と、第１,第２チャンネルのいずれかに切り換えるチャンネル切換スイッチと、所定の状態を報知するブザーとを備えた放電灯点灯装置であって、
前記制御装置は、チャンネル切換スイッチの切り換えを読み取る入力端子と、前記ブザーを鳴らすブザー信号を出力する出力端子とを１つの端子で共用したことを特徴とする放電灯点灯装置。
【請求項２】
前記制御装置は、前記受光部が受光する第１リモート信号や第２リモート信号に基づいて、または放電灯の点灯状態に応じてブザー信号の周波数を変えることを特徴とする請求項１に記載の放電灯点灯装置。
【発明の詳細な説明】
【技術分野】
【０００１】
この発明は、リモート信号によって放電灯の点灯を行えるようにした放電灯点灯装置に関する。
【背景技術】
【０００２】
従来から、リモートコントロール装置により放電灯を点灯させる放電灯点灯装置が知られている（特許文献１参照）。
【０００３】
かかる放電灯点灯装置は、放電灯を点灯させる点灯装置と、この点灯装置を制御する照明制御回路とを備えている。この照明制御回路は、リモートコントロール装置からの送信信号を受光する受光部を有し、この受光部の受光信号に基づいて点灯装置を制御し、この制御により放電灯のオン・オフや調光を行うようにしたものである。
【特許文献１】特開２００３−７７６８７号公報
【発明の開示】
【発明が解決しようとする課題】
【０００４】
ところで、リモートコントロール装置と放電灯点灯装置との間で行う通信には、２つのチャンネルを備えたものがあり、例えばリモートコントロール装置が１チャンネルに切り換えられてこの１チャンネルを使用しているときには、放電灯点灯装置も１チャンネルに切り換えておかなければ、リモートコントロール装置の操作によって放電灯点灯装置を動作させることはできない。
【０００５】
また、放電灯点灯装置は、リモートコントロール装置から送信される赤外光信号を受光すると、ブザーを作動させてその赤外光信号を受光したことを報知したり、放電灯の点灯状態を知らせるためにブザーを作動させたりする。
【０００６】
そして、放電灯点灯装置の制御装置には、チャンネルを切り換えるチャンネルスイッチを接続する入力端子と、ブザー信号を出力する出力端子とを設けており、端子数が増加してしまうという問題があった。
【０００７】
この発明の目的は、制御装置の端子数を減らすことのできる放電灯点灯装置を提供することにある。
【課題を解決するための手段】
【０００８】
請求項１の発明は、第１チャンネルの第１リモート信号または第２チャンネルの第２リモート信号を受光する受光部と、この受光部の受光信号に基づいて放電灯の点灯や調光を制御する制御装置と、第１,第２チャンネルのいずれかに切り換えるチャンネル切換スイッチと、所定の状態を報知するブザーとを備えた放電灯点灯装置であって、
前記制御装置は、チャンネル切換スイッチの切り換えを読み取る入力端子と、前記ブザーを鳴らすブザー信号を出力する出力端子とを１つの端子で共用したことを特徴とする。
【発明の効果】
【０００９】
この発明によれば、制御装置の端子数を減らすことのできる放電灯点灯装置を提供することができる。
【発明を実施するための最良の形態】
【００１０】
以下、この発明に係る放電灯点灯装置の実施の形態である実施例を図面に基づいて説明する。
【実施例】
【００１１】
図１に示す放電灯点灯装置１０は、直流電源Ｅの電圧を所定の周波数の高周波電圧に変換して出力するインバータ回路２０と、このインバータ回路２０から出力される高周波電圧によって放電灯１１,１２を点灯させる共振回路１３,１４と、リモートコントロール装置（図示せず）から発光される赤外信号を受光する受光部３０と、この受光部３０からの受光信号に基づいてインバータ回路２０を制御する制御装置３１と、受光部３０が赤外信号を受光したことを報知するブザー３２と、チャンネルを切り換えるチャンネル切換スイッチ３３等とを備えている。
【００１２】
インバータ回路２０は、直列接続された２つのスイッチング素子２１,２２と、このスイッチング素子２１,２２を交互にオン・オフさせる高周波パルスを出力する高周波発信器２３とを備えている。スイッチング素子２１のカソードが直流電源Ｅの陽極に接続され、そのアノードがスイッチング素子２２のカソードに接続されている。また、スイッチング素子２２のアノードが直流電源Ｅの陰極に接続されている。
【００１３】
そして、スイッチング素子２１,２２のゲートが高周波発信器２３の出力端子Ｐ１,Ｐ２にそれぞれ接続されている。この出力端子Ｐ１,Ｐ２から交互に高周波パルスが出力されることによりスイッチング素子２１,２２が交互にオン・オフ動作する。
【００１４】
共振回路１３は、インダクタ１３Ｌとキャパシタ１３Ｃの直列回路から構成され、インダクタ１３Ｌの一端がコンデンサ１５を介してスイッチング素子２１,２２の接続点すなわちスイッチング素子２１のアノード（スイッチング素子２２のカソード）に接続されている。また、インダクタ１３Ｌの他端は放電灯１１のフィラメント１１ｆ１の一端に接続され、フィラメント１１ｆ１,１１ｆ２の他端間にキャパシタ１３Ｃが接続されている。フィラメント１１ｆ２の一端は直流電源Ｅの陰極に接続されている。
【００１５】
共振回路１４は、インダクタ１４Ｌとキャパシタ１４Ｃの直列回路から構成され、インダクタ１４Ｌの一端がコンデンサ１６を介してスイッチング素子２１のアノード（スイッチング素子２２のカソード）に接続されている。また、インダクタ１４Ｌの他端は放電灯１２のフィラメント１２ｆ１の一端に接続され、フィラメント１２ｆ１,１２ｆ２の他端間にキャパシタ１４Ｃが接続されている。フィラメント１２ｆ２の一端は直流電源Ｅの陰極に接続されている。
【００１６】
制御装置３１は、マイクロコンピュータから構成され、受光部３０からの受光信号を入力する入力端子Ｕ１と、ブザー信号を出力したりチャンネル切換スイッチ３３のチャンネル切り換えを読み取る入出力端子Ｕ２と、制御信号を出力する出力端子Ｕ３と、その他図示しない端子が設けられている。
【００１７】
ブザー３２は、抵抗Ｒ１を介して入制御装置３１の出力端子Ｕ２に接続されるとともに直列接続された抵抗Ｒ２,Ｒ３を介して電源ラインＬ１に接続されている。
【００１８】
また、チャンネル切換スイッチ３３の接点３３ａは抵抗Ｒ２,Ｒ３の接続点に接続され、接点３３ｂは接地されている。また、チャンネル切換スイッチ３３の接触片３３ｃは接地されている。
【００１９】
そして、例えば１チャンネルを使用する場合にはチャンネル切換スイッチ３３の接触片３３ｃを接点３３ａに接続し、２チャンネルを使用する場合には接触片３３ｃを接点３３ｂに接続する。接触片３３ｃが接点３３ａに接続されると、抵抗Ｒ２,Ｒ３の接続点が接地されることにより、入出力端子Ｕ２はＬレベルとなる。制御装置３１は、この入出力端子Ｕ２のＬベルを読み取って設定されているチャンネル、すなわち１チャンネルであると判断する。
【００２０】
同様に、チャンネル切換スイッチ３３の接触片３３ｃを接点３３ｂに接続されると、抵抗Ｒ２,Ｒ３および抵抗Ｒ１を介して電源ラインＬ１の電圧が入出力端子Ｕ２に印加される。すなわち、入出力端子Ｕ２はＨレベルとなり、制御装置３１は、この入出力端子Ｕ２のＨベルを読み取って設定されているチャンネル、すなわち２チャンネルであると判断する。
【００２１】
そして、制御装置３１は、チャンネル切換スイッチ３３によって１チャンネルが設定されているとき、リモートコントロール装置から出力される１チャンネルの赤外信号（第１リモート信号）に基づいてインバータ回路を２０を制御し、チャンネル切換スイッチ３３によって２チャンネルが設定されているとき、リモートコントロール装置から出力される２チャンネルの赤外信号（第２リモート信号）に基づいてインバータ回路を２０を制御するようになっている。
［動  作］
次に、上記のように構成される放電灯点灯装置１０の動作を図２ないし図５に示すフロー図に基づいて説明する。
【００２２】
ステップ１ではリモコンチャンネル入力判定処理が行われ、ステップ２ではブザー出力要求処理が行われ、ステップ３ではブザー出力判定処理が行われる。
【００２３】
リモコンチャンネル入力判定処理では、ステップ１０でブザー信号が入出力端子Ｕ２から出力中か否かが判断され、イエスであればリターンしてステップ２へ進み、ノーであればステップ１１へ進む。
【００２４】
ステップ１１では、リモコンチャンネル入力処理が行われる。このリモコンチャンネル入力処理は、入出力端子Ｕ２のレベルを読み取ってチャンネル切換スイッチ３３によって設定されるチャンネルを判断する処理である。
【００２５】
そして、ステップ１０およびステップ１１の処理により、制御装置３１の入出力端子Ｕ２からブザー信号を出力している期間以外では、入出力端子Ｕ２からチャンネル切換スイッチ３３の切り換えを読み取るようにするものである。
【００２６】
ブザー出力要求処理では、ステップ２０でブザー出力（ブザー信号の出力）が必要か否か、すなわち受光部３０がチャンネル切換スイッチ３３によって設定さえたチャンネルと同じチャンネルのリモートコントロール装置からの赤外光信号を受光したか否かが判断され、ノーであればリターンしてステップ３へ進み、イエスであればステップ２１へ進む。ステップ２１ではブザー出力を要求する。
【００２７】
ブザー出力判定処理では、ステップ３０でブザー出力の要求があるか否かが判断され、イエスであればステップ３１へ進む。ステップ３１では、ポートすなわち入出力端子Ｕ２を出力用に設定する。ステップ３２では、ブザー信号を入出力端子Ｕ２から出力するためのブザー出力開始処理を行う。
【００２８】
ステップ３２のブザー出力開始処理は、例えばチャンネル切換スイッチ３３によって１チャンネルが設定され、受光部３０がリモートコントロール装置の１チャンネルの赤外光信号を受光したとき、その赤外光信号を受光したことを報知するブザー信号を出力する処理であり、ブザー信号の出力を開始してブザー３２を鳴らし始める。
【００２９】
ステップ３０でノーと判断されるとステップ３３へ進み、ステップ３３ではブザー信号が出力中か否か、すなわちブザー３２が鳴らされている最中か否かが判断され、ノーであればリターンし、イエスであればステップ３４へ進む。
【００３０】
ステップ３４では、ブザー信号を所定時間だけ出力してブザー信号の出力を停止するブザー出力中処理が行われ、ステップ３５ではブザー信号の出力が終了したか否かが判断され、ノーであればリターンし、イエスであればステップ３６へ進む。
【００３１】
ステップ３６ではブザー出力終了処理が行われる、ステップ３７では、ブザー信号の出力が終了したので、ポートすなわち入出力端子Ｕ２を読み込み用に設定する。
【００３２】
上述のように、制御装置３１の入出力端子Ｕ２からブザー信号を出力している期間以外では、入出力端子Ｕ２からチャンネル切換スイッチ３３の切り換えを読み取るようにしたものであるから、すなわち、入出力端子Ｕ２をブザー信号を出力する端子と、チャンネル切換スイッチ３３の切り換えを読み取る端子とを兼用するようにしたものであるから、制御装置３１の端子数を減らすことができる。
【００３３】
制御装置３１は、受光部３０がリモートコントロール装置からの赤外光信号を受光すると、ブザー信号を入出力端子Ｕ２から出力してブザーを鳴らした後、受光部３０の受光信号に基づいてインバータ回路２０の高周波発信器２３を制御する。
【００３４】
例えば、赤外光信号が点灯信号であれば、制御装置３１は高周波発信器２３を動作させて出力端子Ｐ１,Ｐ２から所定周期のパルスを交互に出力させる。この出力端子Ｐ１,Ｐ２からのパルスにより、インバータ回路２０のスイッチング素子２１,２２が交互にオン・オフ動作していく。
【００３５】
このスイッチング素子２１,２２の交互のオン・オフ動作により、共振回路１３,１４を介して放電灯１１,１２が点灯する。
【００３６】
ところで、制御装置３１は、赤外光の点灯信号や消灯信号や調光信号を受光部３０が受光したとき、例えば周波数が同じの「ピッー」となる音をブザー３２により鳴らせるが、点灯信号や消灯信号や調光信号の各信号に応じて周波数を変えてもよい。また、例えば調光信号によって照度を上げていくときには高い周波数の音を鳴らせ、照度を下げていくときには低い音を鳴らせるようにしてもよい。
【図面の簡単な説明】
【００３７】
【図１】この発明に係る第１実施例の放電灯点灯装置の構成を示した回路図である。
【図２】放電灯点灯装置の動作を示すメインフロー図である。
【図３】リモコンチャンネル入力判定処理の処理動作を示したフロー図である。
【図４】ブザー出力要求処理の処理動作を示したフロー図である。
【図５】ブザー出力判定処理の処理動作を示したフロー図である。
【符号の説明】
【００３８】
１０        放電灯点灯装置
１１        放電灯
１２        放電灯
３０        受光部
３１        制御装置
３２        ブザー
３３        チャンネル切換スイッチ
Ｕ２        入出力端子（端子）
【図１】
2008146993.tif 000003
【図２】
2008146993.tif 000004
【図３】
2008146993.tif 000005
【図４】
2008146993.tif 000006
【図５】
2008146993.tif 000007